(57)【要約】【課題】所望する周波数を簡単な操作で設定することが可能な受信装置を提供する。【解決手段】選択された入力ソースの周波数帯域全体を、棒状のスケール３７として表示し、更に、このスケール３７にて針３５がドラッグ操作され、所望の周波数が選択されると、この選択された周波数の近傍の帯域の周波数が９ＫＨｚのステップでアイコン３３に表示される。そして、アイコン３３に表示された各周波数のうち、所望の周波数のアイコンを押すことにより、所望の周波数を設定することができる。従って、簡単な操作で所望する周波数を設定することが可能となる。【選択図】図３
2012244391.tif 000002
【特許請求の範囲】
【請求項１】
複数の放送局のうち、所望する放送局の周波数を選択して受信する受信装置において、
表示手段と、
複数の周波数帯域の電波を受信する受信手段と、
前記表示手段の画面上での入力操作を検出するタッチパネルセンサと、
前記複数の周波数帯域のうち、任意の周波数帯域全体を棒状のスケールとして表示し、前記棒状のスケールにて、前記タッチパネルセンサで選択された周波数の近傍となる所定範囲の周波数帯域を、予め設定した周波数ステップとなる複数段階のアイコンとして表示する表示制御手段と、
前記表示手段に表示された各アイコンのうち、前記タッチパネルセンサにて選択されたアイコンの周波数を、受信周波数として設定する受信制御手段と、
を備えたことを特徴とする受信装置。
【請求項２】
前記表示制御手段は、前記各周波数帯域毎に、前記アイコン表示する周波数のステップを変更可能であることを特徴とする請求項１に記載の受信装置。
【請求項３】
前記表示制御手段は、任意の周波数帯域にて、前記アイコン表示する周波数のステップを変更可能であることを特徴とする請求項１または請求項２のいずれかに記載の受信装置。
【請求項４】
前記表示制御手段は、前記表示手段にプリセット番号を示すスイッチを表示し、
前記受信制御手段は、ある周波数の電波が受信されているときに、前記プリセット番号を示すスイッチが操作された場合に、この周波数を前記プリセット番号のプリセット値として設定することを特徴とする請求項１〜請求項３のいずれか１項に記載の受信装置。
【発明の詳細な説明】
【技術分野】
【０００１】
本発明は、ラジオ、テレビ等の電波を受信する受信装置に係り、特に、所望する放送局の周波数を簡単な操作で設定する技術に関する。
【背景技術】
【０００２】
例えば、車両に搭載されるオーディオ機器では、ラジオ、テレビ等の各放送局の周波数を受信する受信装置が搭載されている。このような受信装置は、操作者が車両の運転時に操作することが多いので、操作性、視認性が容易であることが望まれる。このような受信機の従来例として、例えば、特許文献１に記載されたものが知られている。
【０００３】
特許文献１では、プリセット値と周波数を同時に表示することにより、どの周波数付近をプリセット（登録）したかを簡単に認識できるようにする技術が開示されている。即ち、プリセットモードが選択された場合には、プリセット周波数が表示されるので、現在プリセットされている周波数を容易に認識することが可能となる。
【先行技術文献】
【特許文献】
【０００４】
【特許文献１】特開２０００−３３２６３１号公報
【発明の概要】
【発明が解決しようとする課題】
【０００５】
しかしながら、上述した特許文献１に開示された従来例では、プリセット周波数を表示することにより、現在プリセットされている周波数を容易に認識することができるものの、所望する周波数を設定するために、１ステップ（周波数の最小の切り替え間隔）毎に周波数を変化させるので、大きな周波数を移動する場合には操作が面倒であり、且つ、細かい周波数調整に手間がかかるという問題があった。
【０００６】
本発明は、このような従来の課題を解決するためになされたものであり、その目的とするところは、所望する周波数を簡単な操作で設定することが可能な受信装置を提供することにある。
【課題を解決するための手段】
【０００７】
上記目的を達成するため、本願発明は、複数の放送局のうち、所望する放送局の周波数を選択して受信する受信装置において、表示手段と、複数の周波数帯域の電波を受信する受信手段と、前記表示手段の画面上での入力操作を検出するタッチパネルセンサと、前記複数の周波数帯域のうち、任意の周波数帯域全体を棒状のスケールとして表示し、前記棒状のスケールにて、前記タッチパネルセンサで選択された周波数の近傍となる所定範囲の周波数帯域を、予め設定した周波数ステップとなる複数段階のアイコンとして表示する表示制御手段と、前記表示手段に表示された各アイコンのうち、前記タッチパネルセンサにて選択されたアイコンの周波数を、受信周波数として設定する受信制御手段と、を備えたことを特徴とする。
【発明の効果】
【０００８】
本発明に係る受信装置では、周波数帯域全体を棒状のスケールとして表示し、このスケールを用いることにより、ユーザが大まかな周波数選択操作を行うと、選択された周波数近傍の周波数帯域が、複数段階のアイコンとして表示される。そして、ユーザは、このアイコンを操作することにより、所望の周波数を設定することができるので、所望周波数を設定するまでの操作性を著しく向上させることが可能となる。
【図面の簡単な説明】
【０００９】
【図１】本発明の一実施形態に係る受信装置の構成を示すブロック図である。
【図２】本発明の一実施形態に係る受信装置の、表示装置に表示される受信周波数表示画面の一例を示す説明図である。
【図３】本発明の一実施形態に係る受信装置の、表示装置に表示される周波数設定画面を示す説明図である。
【図４】本発明の一実施形態に係る受信装置の、表示装置に表示される受信周波数表示画面の他の例を示す説明図である。
【発明を実施するための形態】
【００１０】
以下、本発明の実施形態を図面に基づいて説明する。図１は、本発明の一実施形態に係る受信装置の構成を示すブロック図である。図１に示すように、この受信装置は、各放送局より送信される複数の周波数帯域の電波を受信するアンテナ１４及び受信部１１と、各種のデータを画面表示する表示部１３と、この表示部１３の画面上にてユーザによる入力操作を検出するタッチパネルセンサ１５と、制御部１２と、を備えている。
【００１１】
制御部１２は、表示部１３に周波数設定画面（後述する図３参照）を表示すると共に、該周波数設定画面上で任意の周波数が選択された場合に、受信部１１で受信される広い周波数帯域の受信信号から、選択された周波数の受信信号をフィルタ処理により取り出す。そして、フィルタ処理後の受信信号を復調して映像信号、或いは音声信号を取り出し、これらの信号を外部に出力する。例えば、音声信号はスピーカ（図示省略）に出力されて音声として出力されることとなる。
【００１２】
また、制御部１２は、周波数設定画面の表示を変更する処理、及び現在選択されている周波数、放送局、各種の操作用スイッチを表示部１３に表示する処理を行う。更に、表示部１３の表示画面上で任意の周波数がプリセット操作された場合（後述する図２に示すスイッチ２５が押された場合）には、この周波数をプリセット値として記憶保存する制御を行う。
【００１３】
次に、本実施形態に係る受信装置の動作について説明する。タッチパネルセンサ１５にて任意の周波数帯域が設定され、且つこの周波数帯域中の任意の周波数が選択されている場合には、この周波数、及びこの周波数に対応する放送局が表示部１３に表示される。例えば、図２に示すように、表示部１３の画面上に、「ＴＶ」「ＡＭ」「ＦＭ」「ＵＳＢ」「ＡＵＸ」等の各種の入力ソース２１が表示される。図２に示す例では、「ＡＭ」が反転表示されており、現在ＡＭラジオが受信されていることを示している。
【００１４】
また、画面中央部には、現在受信している放送局の周波数が表示される。この例では、符号２３に示すように、「６５２ＫＨｚ」の周波数の電波が受信されている。また、この周波数に対応する放送局が、画面中央部の符号２２に示す領域に表示される。具体的には、現在受信されている放送局は、チャンネル１の「ＡＢＣＤ（名称）」であることが表示される。
【００１５】
更に、表示部１３の画面下部には、１〜６までのプリセット用スイッチ２５が表示される。６個のプリセット用スイッチ２５のうち所望のスイッチがユーザにより押されると、予めプリセットされている周波数が選択され、受信される。従って、プリセットされている周波数に対応する放送局より送信される音声データが出力されることになる。
【００１６】
また、各プリセット用スイッチ２５に周波数をプリセットする場合には、所望する周波数（例えば、６５２ＫＨｚ）を選択した状態で、プリセット番号「１」のプリセット用スイッチ２５を例えば長押し操作する。この操作により、「１」のプリセット用スイッチ２５には、６５２ＫＨｚの周波数がプリセット値として登録されることとなり、次回以降は「１」を押すことにより、６５２ＫＨｚの周波数をワンタッチで選択することができるようになる。このプリセット用スイッチ２５は、全部で６個設けられているので、本実施形態ではユーザの好みにより６個の放送局の周波数をプリセットすることができる。
【００１７】
また、画面中央部右側には、周波数切替スイッチ２４が表示され、ユーザによりこの周波数切替スイッチ２４が選択されると、図３に示す如くの周波数設定画面が表示される。
【００１８】
図３に示すように、周波数設定画面は「ＡＭ」「ＦＭ」を切り替える選択スイッチ３１と、選択されている入力ソース（「ＡＭ」「ＦＭ」のいずれか）の周波数帯域全体を表示する棒状のスケール３７と、全体の周波数帯域のうち針３５を操作することにより選択される周波数、即ち、針３５が指し示す周波数の近傍となる周波数帯域を、予め設定したステップ毎に表示する周波数設定用のアイコン３３と、が表示されている。更に、アイコン３３に表示する周波数のステップを設定するステップ設定スイッチ３２と、周波数設定画面を終了するための終了スイッチ３６が表示されている。
【００１９】
スケール３７は、入力ソース（周波数帯域）として「ＡＭ」が選択されている場合には、該スケール３７の左端から右端までが、「ＡＭ」の周波数帯域である５３０ＫＨｚ〜１６００ＫＨｚとなるように表示する。また、針３５は、ユーザが指で操作してドラッグ操作（引きずる操作）することにより左右に移動させることができるので、ユーザは針３５をドラッグ操作することにより、所望する周波数を大まかに選択することができる。例えば、周波数を９６２ＫＨｚに設定したい場合には、針３５を１０００ＫＨｚ付近にドラッグすれば、大まかな設定が可能となる。
【００２０】
この際、周波数選択用の複数のアイコン３３には、針３５で指示された周波数近傍が予め設定されたステップ（例えば、９ＫＨｚ）で変化するように表示される。例えば、針３５で指示された周波数が９８０ＫＨｚである場合には、中央を示す針３４のアイコンに「９８０ＫＨｚ」と表示され、その左側に「９７１ＫＨｚ」「９６２ＫＨｚ」と表示され、右側に「９８９ＫＨｚ」「９９８ＫＨｚ」と表示される。更に、「９６２ＫＨｚ」の左側には、左向きの矢印３３ａが表示され、「９９８ＫＨｚ」の右側には、右向きの矢印３３ｂが表示される。
【００２１】
そして、ユーザはアイコン３３に表示される周波数表示を視認して、所望する周波数に対応するアイコン３３を押すことにより、この周波数の放送局を選択することができる。例えば、周波数を９６２ＫＨｚに設定したい場合には、このアイコンを押せば良い。また、５個のアイコン３３内に選択対象となる周波数が存在しない場合には、左向きの矢印３３ａを押すことにより、アイコン３３の周波数表示を左側にスライドさせることができ、より高い周波数のアイコンを表示させることができる。反対に、右向きの矢印３３ｂを押すことにより、アイコン３３の周波数表示を右側にスライドさせることができ、より低い周波数のアイコンを表示させることができる。
【００２２】
このようにして、本実施形態の受信装置では、図２に示す受信周波数表示画面の状態から、周波数切替スイッチ２４を押すことにより、図３に示す周波数設定画面を表示させることができ、更に、この周波数設定画面上で、針３５をドラッグ操作することにより、大まかな周波数を設定し、更に、アイコン３３を操作することにより、所望する周波数を選択することができる。従って、従来の受信装置と比較して操作性を著しく向上させることができる。
【００２３】
また、図２に示したように、プリセット用スイッチ２５を操作することにより、現在受信されている周波数をプリセットすることができるので、所望する周波数を簡単な操作で選択し、更に、この周波数とプリセット値として登録することが可能となる。従って、従来の受信装置と比較して、極めて簡単な操作で所望する周波数をプリセットすることができるようになる。
【００２４】
更に、本実施形態の受信装置では、図３に示すステップ設定スイッチ３２を押すことにより、アイコン３３に表示される周波数のステップを適宜変更することができる。例えば、上述した例ではステップを９ＫＨｚとしたが、１２．５ＫＨｚ等の他の数値とすることも可能である。即ち、制御部１２は、任意の周波数帯域（ＡＭの周波数帯域、或いはＦＭの周波数帯域）で、アイコン表示する周波数のステップを変更することが可能である。
【００２５】
また、入力ソースとして「ＦＭ」が選択された場合には、周波数のステップをＭＨｚ（メガヘルツ）の単位とすることも可能である。即ち、制御部１２は、各周波数帯域毎に、アイコンを表示する周波数のステップを変更することが可能である。
【００２６】
以上、本発明の受信装置を図示の実施形態に基づいて説明したが、本発明はこれに限定されるものではなく、各部の構成は、同様の機能を有する任意の構成のものに置き換えることができる。
【００２７】
例えば、上述した実施形態では、受信周波数表示画面として図２に示す例を挙げたが、図４に示すように、周波数切替スイッチ２４の表示を割愛することも可能である。この場合は、ユーザが符号２３に示す周波数表示枠を押すことにより、周波数設定画面を表示するように制御する。そして、このような構成によれば、表示部１３の表示画面を簡素化することが可能となる。
【産業上の利用可能性】
【００２８】
本発明は、簡単な操作で所望する周波数を選択することに利用することができる。
【符号の説明】
【００２９】
１１  受信部
１２  制御部（表示制御手段、受信制御手段）
１３  表示部
１４  アンテナ
１５  タッチパネルセンサ
２１  入力ソース
２４  周波数切替スイッチ
２５  プリセット用スイッチ
３１  選択スイッチ
３２  ステップ設定スイッチ
３３  アイコン
３４  針
３５  針
３６  終了スイッチ
３７  スケール
【図１】
2012244391.tif 000003
【図２】
2012244391.tif 000004
【図３】
2012244391.tif 000005
【図４】
2012244391.tif 000006